(57)【要約】      （修正有）【課題】机上に安定して自立可能で周囲との遮蔽性も良く、文房具なども充分収納できかつ手軽に持ち運び可能なデスクトップ用間仕切りを提供する。【解決手段】正面パネル１１の両側に、狭巾の補助パネル１２、１３を介して正面パネル１１の約半分の横長さを有する一対のサイドパネル１５等をそれぞれ屈曲自在に設け、前記正面パネル１１及びサイドパネル１５等の内面にポケット２１〜２４、収納ボックス２５、２６を固着し、前記補助パネル１２と１３との間に手提げバンド３０を掛け渡し、デスクＤ上に立てかけたとき、正面パネル１１とサイドパネル１５等によって、平面台形状のスペースＳを形成できるようにしたのである。【選択図】図３
0003180127.tif 000002
【実用新案登録請求の範囲】
【請求項１】
正面パネルの両側に、正面パネルに対して屈曲自在の狭巾補助パネルを介して前記正面パネルの約半分の横長さを有するサイドパネルをそれぞれ屈曲自在に設け、それぞれのサイドパネルの外側縁に前記補助パネルと同巾の外側補助パネルを屈曲自在に設け、前記正面パネルの両側の補助パネル間に手提げバンドを掛け渡し、前記正面パネルとその両側のサイドパネルを机上に立設して平面略台形状の遮蔽空間を形成可能とし、前記正面パネルに対して両サイドパネルを対向するように折り曲げることにより中空直方体が形成され、正面パネルとサイドパネルとを補助バンドで連結して前記直方体の形状を維持するようにしたデスクトップ用間仕切り。
【請求項２】
前記正面パネルまたはサイドパネルの内面にポケットを設けた請求項１に記載のデスクトップ用間仕切り。
【請求項３】
前記正面パネルまたはサイドパネルに収納ボックスを設けた請求項１または２に記載のデスクトップ用間仕切り。
【請求項４】
前記収納ボックスの底面を前記正面パネル及びサイドパネルの下端縁とほぼ一致させた請求項３に記載のデスクトップ用間仕切り。
【請求項５】
前記収納ボックスの前面が前記正面パネルまたはサイドパネルに当接するストッパとなっている請求項３または４に記載のデスクトップ用間仕切り。
【考案の詳細な説明】
【技術分野】
【０００１】
この考案は、勉強机や仕事机等のデスク天板に設置する間仕切りに関する。
【背景技術】
【０００２】
勉強等のデスクワークに集中するためには、雑音などの外に周囲の動きに注意が逸らされるため、独立した空間が要望される。また、オフィス等においても同様に周囲から独立した仕事空間が望まれる。
【０００３】
そのため従来から床に間仕切りを立設してデスクを囲う方法が採られてきたが、移動が不可能で撤去も難しく、間仕切り自体も高価な問題がある。そこで例えば特許文献１には、机上に設置できる開閉パネル体が開示されている。この開閉パネル体は、パネル内部に書類等の収納空間を有しかつ開いた状態で自立可能になっているが、収納空間はパネルの厚みの範囲内に限定されるために極めて小さなものとなり、かつパネルを開いたとき内面全面が開放されるため書類等の保持が難しく、またパネル２枚だけでは自立性が悪くパネルの開度を大きくすると倒れ易い問題がある。さらにパネル２枚だけではどのように設置しても周囲との遮蔽性が良くない問題もある。
【０００４】
特許文献２には（特に段落００４７、５〜６行目）、デスク天板に間仕切りとして設置できるバッグが開示されている。このバッグは、その本来の用途からして物品の収納性は良好であるものの、間仕切りとして使用した場合の自立性は劣り、周囲との遮蔽性にあまり期待できないのは前述の開閉パネル体と同様である。
【先行技術文献】
【特許文献】
【０００５】
【特許文献１】特開２００９−１６７６９３号公報
【特許文献２】特開２０１１−３０９２７号公報
【考案の概要】
【考案が解決しようとする課題】
【０００６】
そこで、この考案の課題は、間仕切りとして机上に安定して自立可能で周囲との遮蔽性も良く、書籍やノート、文房具なども充分に収納でき、かつ手軽に持ち運び可能にすることである。
【課題を解決するための手段】
【０００７】
上記の課題を解決するために、この考案においては、デスクトップ用間仕切りの正面パネルの両側に、正面パネルに対して屈曲自在の狭巾補助パネルを介して前記正面パネルの約半分の横長さを有するサイドパネルをそれぞれ屈曲自在に設け、それぞれのサイドパネルの外側縁に前記補助パネルと同巾の外側補助パネルを屈曲自在に設け、前記正面パネルの両側の補助パネルの間に手提げバンドを掛け渡し、前記正面パネルとその両側のサイドパネルを机上に立設して平面略台形状の遮蔽空間を形成可能とし、前記正面パネルに対して両サイドパネルを対向するように折り曲げることにより中空直方体が形成され、正面パネルとサイドパネルを補助バンドで連結して前記直方体の形状を維持できるようにしたのである。
【０００８】
前記正面パネルまたはサイドパネルの内面にポケットまたは収納ボックスを設けることができる。また収納ボックスの場合は、その底面を正面パネル及びサイドパネルの下端縁と一致させておくのがよく、また収納ボックスの前面をストッパとして正面パネルまたはサイドパネルに当接するようにしておくのが好ましい。
【考案の効果】
【０００９】
この考案によれば、以上のように、正面パネルの両側にサイドパネルを設けたので、机上に立設したときにほぼ台形状の左右両側面を遮蔽した独立空間を形成できるので、勉強等に集中するのに好適である。また、正面パネルをサイドパネルで支持する台形状立設状態は安定性が非常に優れている。さらに、正面パネルとサイドパネルを補助パネルで接続したので、格納状態で対向する正面パネルとサイドパネルとの間隔を補助パネルの巾によって規制することができ、従って対向する正面パネルとサイドパネルの間の物品の収納空間を自由に設計することができ、必要かつ充分な収納性が得られる。その他、補助パネル間にバンドを掛け渡すだけで手軽に持ち運びができる。
【図面の簡単な説明】
【００１０】
【図１】この考案の間仕切りの正面図、
【図２】間仕切りの材料の一例を示す断面図、
【図３】間仕切りの使用状態を示す斜視図、
【図４】間仕切りの格納状態を示す斜視図、
【図５】間仕切りの格納状態の他の例を示す斜視図、
【図６】間仕切りの格納状態のさらに他の例を示す斜視図である。
【考案を実施するための形態】
【００１１】
以下、この考案の実施形態を添付図面に基づいて説明する。図１に示すように、この考案の間仕切り１０は、正面パネル１１の左右両側に狭巾の補助パネル１２、１３を介して、サイドパネル１４、１５を設け、これらのサイドパネル１４、１５の外側端に狭巾の補助パネル１６、１７をそれぞれ接続したものであって、補助パネル１２及び１３の両側は直線状折り目１２ａ、１２ｂ及び１３ａ、１３ｂが形成され、正面パネル１１に対してサイドパネル１４、１５を任意の角度に折り曲げることができるようになっている。また、外側の補助パネル１６、１７も、サイドパネル１４、１５に直線状折り目１６ａ、１７ａによって、任意の角度に折り曲げ可能になっている。そして、これらの折り目１２ａ、１２ｂ、１３ａ、１４ｂ、１６ａ、１７ａは、充分な屈曲性とともにある程度の保形性即ち一定角度に折り曲げたときにその角度を保持できるようになっている。
【００１２】
前記正面パネル１１のサイズは、縦横が約３０〜５０ｃｍ×約４０〜１００ｃｍが好ましく、サイドパネル１４、１５は、縦横が約３０〜５０ｃｍ×２０〜５０ｃｍ程度、即ち横長さが正面パネルの約半分程度がよく、またサイドパネル１４と１５は同一サイズにしておく。補助パネル１２、１３、１６、１７は、間仕切り１０の格納時の厚さ（巾）Ｗを規制するものであって、巾Ｗは約３〜１０ｃｍ程度が好ましく、勿論補助パネルは全て同一巾に形成される。
【００１３】
間仕切り１０を形成するパネル１１〜１７の材料は、合成樹脂板、木材板（合板を含む）、厚紙、段ボールなどが用いられ、好ましくは図２に示すように、これらを芯材１１ａとして、その外面を織布、編布、不織布、人工皮革等の外装材１１ｂで被覆するのがよい。そして、折り目１２ａ〜１７ａに該当する部分は、図示のように芯材１１ａを切り離すか、或は罫線を設ける（厚みを薄くする）などによって、折り曲げ易くかつ折り曲げた状態を維持できるようにしておけばよい。
【００１４】
前記パネル１１、１４、１５の内面には、柔軟性のある布帛等を膨らみを持たせて張り付けたポケット２１、２２、２３、２４が設けられている。これらのポケットの数、形状、サイズ及び取り付け個所は任意に選択可能である。さらに、上面が開放した直方体状の収納ボックス２５、２６がサイドパネル１５に固着されている。これらのボックスも前記ポケットと同様にサイズ等は任意であるが、後述のように間仕切り１０を立てかけたときの安定性を考慮して、その底面２５ａ、２６ａがパネル１５の下端縁にほぼ一致するように配置するのが好ましい。さらに収納ボックスの前面（パネル１５に固着された面の反対面）が格納時（図４、５）にパネル１１（ポケット２３を含む）にほぼ当接してストッパとなるようにしておくのが好ましい。
【００１５】
前記補助パネル１２、１３の上端部には、手提げバンド３０の一端及び他端がそれぞれ固着されている。勿論このバンド３０は肩掛け用に使用できるものであってもよい。また外側の補助パネル１７には、間仕切り１０の格納時に用いられる補助バンド３１の一端が固着されている。このバンド３１の外端部には、面ファスナ３１ａの雄部材が設けられ、正面パネル１１の外面の上端中央部近辺には、前記面ファスナ３１ａに係合する面ファスナ３２ａの雌部材が設けられている。さらに外側の補助パネル１６にも、その上端部外面に面ファスナ３３ａの雌部材が設けられ、前記面ファスナ３１ａと係合可能になっている。上記補助バンドに加えて、補助バンド３４、３５、３６を設けることができる。それぞれの先端面には、面ファスナ３４ａ、３５ａ、３６ａが設けられており、格納時（図６）の対応するパネルの外面には、面ファスナ３７ａ、３８ａ、３９ａがそれぞれ設けられている。これらの補助バンド３１、３４、３５、３６は、一端がパネルに固着されているが、この固着部に面ファスナを設けて着脱自在にしてもよい。そして、これらの補助バンドを全て同サイズにしておくと、何処にでも使用できるので、補助バンド収納用ポケット、例えばボックス２６を設けておきそれに収納しておくと便利である。
【００１６】
図３に間仕切り１０の使用例を示す。図示のように、デスクＤの前縁と適当な間隔をとってほぼ平行に正面パネル１１を立て、サイドパネル１４、１５を、補助パネル１２、１３に対して任意の角度に折り目１２ａ、１２ｂ、１３ａ、１３ｂを用いてほぼ台形状の空間Ｓを形成するように折り曲げる。これによって正面パネル１１の左右両側がサイドパネル１４、１５により遮蔽されるので、独立性の高い勉強空間或は仕事空間が形成される。また、パネル１１、１４、１５には多くのポケット２１〜２４やボックス２５、２６が設けられているので、必要な文房具やコンピュータなどの収納に充分なスペースが存在し、不足する文具類を取りに行く必要はない。さらに、台形状に開いたサイドパネル１４、１５によって正面パネル１１を安定して支持することができ、多少の衝撃によっても倒れることはなく、ボックス２５、２６の底面がデスクＤ上に接するようにしておくと安定性がより高くなる。
【００１７】
上記間仕切り１０を格納する場合には、図４に示すように、正面パネル１１と補助パネル１２、１３をほぼ直角に折り曲げ、さらにサイドパネル１４、１５を補助パネル１２、１３とほぼ直角に折り曲げると、図示のようなパネルで囲まれた中空直方体が形成される。そこでパネル１７の上端部に設けた補助バンド３１を正面パネル１１の方へ掛け渡して、正面パネル１１の外面に設けた面ファスナ３２ａと補助バンド３１に設けた面ファスナ３１ａを係合する。これによってパネル１１〜１７で囲まれた中空直方体形状が維持される。これを移動させたいときは、手提げバンド３０によって持ち運びすればよい。
【００１８】
図５に示すように、両サイドパネル１４、１５を補助パネル１２、１３から折り曲げた後、外側補助パネル１６、１７をさらに対面するように内側に折り曲げ、パネル１７に設けた補助バンド３１を対面する補助パネル１６の外面に廻して面ファスナ３１ａとパネル１６の外面に設けた面ファスナ３３ａを係合することによって、中空直方体形状を維持することができる。
【００１９】
図６に示すように、正面パネル１１とサイドパネル１４、１５の対向面上端を補助バンド３４、３５で連結し、さらにサイドパネル１４と１５の衝合せ部を補助バンド３６で連結すると、中空直方体を強固に維持することができ、持ち運びの際にサイドパネル１４と１５の衝合面が開いて、中空直方体形状が崩れるようなことがない。
【００２０】
この考案の間仕切りは、以上のような構成を採っているので、勉強スペースを確保できない場合に、空き机があれば何処でも利用することができ、またフリーアドレスのオフィスにも有用である。
【符号の説明】
【００２１】
１０  間仕切り
１１  正面パネル
１２、１３  補助パネル
１４、１５  サイドパネル
１６、１７  外側補助パネル
１１ａ  芯材
１１ｂ  被覆材
１２ａ、１２ｂ  折り目
１３ａ、１３ｂ  折り目
１６ａ、１７ａ  折り目
２１、２２、２３、２４  ポケット
２５、２６  ボックス
２５ａ、２６ａ  ボックスの底面
３０  手提げバンド
３１、３４、３５、３６  補助バンド
３１ａ〜３９ａ  面ファスナ
Ｄ  デスク
Ｓ  台形スペース
Ｗ  巾
【図１】
0003180127.tif 000003
【図２】
0003180127.tif 000004
【図３】
0003180127.tif 000005
【図４】
0003180127.tif 000006
【図５】
0003180127.tif 000007
【図６】
0003180127.tif 000008